(57)【特許請求の範囲】
【請求項１】
吸込口と熱交換器との間に配置される塵埃捕捉用のフィルタと、同フィルタで捕捉された塵埃を除去する清掃装置と、前記フィルタまたは前記清掃装置の何れか一方を移動させる駆動手段とが設けられ、前記清掃装置が前記フィルタの表面に捕捉された塵埃を除去する清掃手段を有するダストボックスを備えている空気調和機において、前記フィルタまたは前記清掃装置の何れか一方を移動させる清掃動作時に、前記清掃手段を前記ダストボックス内から出して前記フィルタに接触させ、前記清掃動作の終了時に、前記清掃手段を前記フィルタから離して前記ダストボックス内に入れるための前記清掃手段を駆動する駆動手段を設けたことを特徴とする空気調和機。
【請求項２】
前記ダストボックスは、ケーシングの内側に設けられたフレーム部に対して着脱自在に配置され、前記清掃手段で除去された塵埃を貯留する貯留部と、同貯留部に開閉可能に取付けられる開閉蓋と、前記清掃手段で除去された塵埃を前記貯留部に回収する塵埃回収手段とを含み、前記清掃手段は、前記貯留部の両側に回転軸により回転可能に軸支され、同貯留部内に向けて付勢する付勢手段を有し、前記塵埃回収手段は、前記貯留部の両側に回転軸により回転可能に軸支され、前記清掃手段に向けて付勢する付勢手段と、前記塵埃回収手段の回転軸の一端に結合されたレバーとを有し、前記開閉蓋は、前記塵埃回収手段の回転軸の一端に結合されたレバーに対向するアームを有してなり、前記開閉蓋を閉じて前記アームで前記レバーを押圧することにより、前記塵埃回収手段を前記清掃手段から離すことを特徴とする請求項１記載の空気調和機。
【請求項３】
前記駆動手段は、前記フィルタまたは前記清掃装置を往復運動させることを特徴とする請求項１記載の空気調和機。
【発明の詳細な説明】
【技術分野】
【０００１】
本発明は、フィルタに付着した塵、埃、糸くずなど（以下の説明において塵埃と称する）を自動的に除去する清掃装置を備えた空気調和機に係わり、より詳細には、清掃手段（以下の説明において清掃ブラシとする）の塵埃除去能力の低下を防ぎ、フィルタの清掃を正常に行なうことができる構造に関する。
【背景技術】
【０００２】
従来から、空気調和機の室内機には、空気吸込口から室内機内部に塵埃が流入するのを防止するためのフィルタが取付けられている。フィルタには経時的に塵埃が溜まるため、使用者は時期を見て室内機からフィルタを取外して清掃する必要がある。
【０００３】
通常、空気調和機の室内機は部屋の高所に設置されているため、フィルタの着脱作業が面倒であるばかりでなく、フィルタに付着した塵埃を小まめに取り除く作業も面倒であるため、フィルタの清掃作業は敬遠されやすい。
【０００４】
しかしながら、フィルタに塵埃が堆積したままの状態で放置しておくと、空気の流量が減るため、熱交換効率が落ちるばかりでなく、塵埃にカビなどが発生して、アレルギー症状の原因となる悪臭やハウスダストを誘引するおそれもある。そこで、最近ではフィルタに付着した塵埃を自動的に除去する清掃装置を備えた空気調和機がいくつか提供されており、注目が集まっている。
【０００５】
このような清掃装置を備えた空気調和機の室内機としては、フィルタに沿って清掃ブラシを接触させながら、清掃装置自体をフィルタの一方から他方に移動させることにより、フィルタに付着した塵埃を除去し、除去した塵埃を回収することができる清掃装置の構造などが知られている（例えば、特許文献１参照。）。
【０００６】
この特許文献１に開示されている空気調和機の室内機は、図１８および図１９に示すように、本体キャビネット１００は上面パネル１０６の全面にわたって設けた空気吸込口１２１や、左右風向板１１５や上下風向板１１６などを設けた空気吹出口１１３などを備え、本体キャビネット１００内には送風ファン１０１および熱交換器１０２ａ〜１０２ｃが収納されている。
【０００７】
そして、空気吸込口１２１と熱交換器１０２ａ〜１０２ｃとの間には、空気吸込口１２１から吸込まれ熱交換器１０２ａ〜１０２ｃに向かう空気中に含まれる塵埃を捕捉するフィルタ１０３と、このフィルタ１０３に付着した塵埃を除去するための清掃装置３００と、フィルタ１０３を支持するとともに、清掃装置３００をフィルタ１０３に沿って上下に往復移動させるためのガイドフレーム２１０とが設置されている。
【０００８】
このフィルタ１０３に沿って移動する清掃装置３００は、図２０に示すように、上下両面が開放されたボックス本体３１０と、ボックス本体３１０の上面開口を覆い隠すトップパネル３２０と、フィルタ１０３の表面側に回転かつ接触可能に配置された清掃ブラシ３３０と、ボックス本体３１０の一方の内側面に、清掃ブラシ３３０に付着した塵埃を掻き取る塵埃回収手段３４０（以下の説明において塵埃回収ブラシとする）とを備えたダストボックス３００ａが設けられている。
【０００９】
そして、このダストボックス３００ａを支持するボックスマウンタ２５０を介して、ガイドフレーム２１０の間に掛け渡されるベース板４１０と、ベース板４１０に一体的に取り付けられ、フィルタ１０３の裏面側を受け止める受け板本体４２０とを備えたフィルタ受け板３００ｂが設けられている。
【００１０】
以上のことから、特許文献１による清掃装置３００によれば、フィルタ１０３の表面側に清掃ブラシ３３０を備えたダストボックス３００ａを配置し、ダストボックス３００ａに対向するフィルタ１０３の裏面側にフィルタ１０３を受け止めるフィルタ受け板３００ｂをそれぞれ設け、ダストボックス３００ａとフィルタ受け板３００ｂとをガイドフレーム２１０に沿って上下に移動させて、フィルタ１０３に付着した塵埃を除去する構造となっているので、清掃ブラシ３３０で除去した塵埃を塵埃回収ブラシ３４０で回収してダストボックス３００ａ内に貯留できるため、外部に飛散して本体キャビネット１００内を汚染しないようになっている。
【００１１】
また、特許文献１に開示されている清掃装置３００を備えた空気調和機の室内機では、フィルタ１０３の清掃時には、清掃装置３００をガイドフレーム２１０に沿って上下に移動させて、清掃ブラシ３３０をフィルタ１０３の表面に接触させて塵埃を除去し、除去した塵埃を塵埃回収ブラシ３４０で掻き取って回収するようになっている。一方、フィルタ１０３の非清掃時には、清掃装置３００を初期位置であるガイドフレーム２１０の下端に戻して、清掃ブラシ３３０をフィルタ１０３の表面に接触させて待機するようになっている。
【００１２】
そして、図１９に示すように、この清掃装置３００では、使用者がダストボックス３００ａをボックスマウンタ２５０から取り外しできるようになっていて、トップパネル３２０がボックス本体３１０の一端側に開閉可能に取り付けられており、トップパネル３２０を開けて、ダストボックス３００ａ自体を拭き掃除などができるようになっている。
【００１３】
しかしながら、フィルタ１０３の非清掃時にも、清掃ブラシ３３０がフィルタ１０３の表面に接触した状態となっているので、そのまま清掃ブラシ３３０をフィルタ１０３の清掃時まで放置すると、清掃ブラシ３３０の毛先にクセがつき、毛先が変形してしまう可能性があり、毛先の変形してしまった清掃ブラシ３３０は交換するしかなかった。
【００１４】
また、使用者がダストボックス３００ａ自体の清掃により、清掃ブラシ３３０を回転させてボックス本体３１０から外に向けて出したままでトップパネル３２０を閉じると、取外したダストボックス３００ａをボックスマウンタ２５０に取付けたときに、清掃ブラシ３３０がフィルタ１０３の表面に接触した状態で、フィルタ１０３の清掃時まで放置されることになってしまい、上述のフィルタ１０３の非清掃時と同様に、清掃ブラシ３３０の毛先が変形してしまう可能性があった。
【００１５】
したがって、実際にフィルタ１０３の清掃時に、清掃ブラシ３３０の毛先の変形によって、清掃ブラシ３３０の毛先がフィルタ１０３へ正常に接触しにくくなり、本来発揮し得るフィルタ１０３からの塵埃除去能力が低下して、フィルタ１０３の清掃を正常に行なうことができないという問題点があった。
【特許文献１】特開２００７−１０７７６４号公報（第６頁−第１３頁、第２図、第６図、第１３図）
【発明の開示】
【発明が解決しようとする課題】
【００１６】
本発明は上記問題点に鑑み、フィルタの清掃時における清掃手段の塵埃除去能力の低下を防ぎ、フィルタの清掃を正常に行なうことができるようにした清掃装置を備えた空気調和機を提供することを目的とする。
【課題を解決するための手段】
【００１７】
本発明は上記課題を解決するため、請求項１記載の発明は、吸込口と熱交換器との間に配置される塵埃捕捉用のフィルタと、同フィルタで捕捉された塵埃を除去する清掃装置と、前記フィルタまたは前記清掃装置の何れか一方を移動させる駆動手段とが設けられ、前記清掃装置が前記フィルタの表面に捕捉された塵埃を除去する清掃手段を有するダストボックスを備えている空気調和機において、前記フィルタまたは前記清掃装置の何れか一方を移動させる清掃動作時に、前記清掃手段を前記ダストボックス内から出して前記フィルタに接触させ、前記清掃動作の終了時に、前記清掃手段を前記フィルタから離して前記ダストボックス内に入れるための前記清掃手段を駆動する駆動手段を設けたことを特徴とする構成となっている。
【００１８】
請求項２記載の発明は、請求項１記載の空気調和機において、前記ダストボックスは、ケーシングの内側に設けられたフレーム部に対して着脱自在に配置され、前記清掃手段で除去された塵埃を貯留する貯留部と、同貯留部に開閉可能に取付けられる開閉蓋と、前記清掃手段で除去された塵埃を前記貯留部に回収する塵埃回収手段とを含み、前記清掃手段は、前記貯留部の両側に回転軸により回転可能に軸支され、同貯留部内に向けて付勢する付勢手段を有し、前記塵埃回収手段は、前記貯留部の両側に回転軸により回転可能に軸支され、前記清掃手段に向けて付勢する付勢手段と、前記塵埃回収手段の回転軸の一端に結合されたレバーとを有し、前記開閉蓋は、前記塵埃回収手段の回転軸の一端に結合されたレバーに対向するアームを有してなり、前記開閉蓋を閉じて前記アームで前記レバーを押圧することにより、前記塵埃回収手段を前記清掃手段から離すことを特徴とする構成となっている。
【００１９】
請求項３記載の発明は、請求項１記載の空気調和機において、前記駆動手段は、前記フィルタまたは前記清掃装置を往復運動させることを特徴とする構成となっている。
【発明の効果】
【００２０】
請求項１記載の本発明によれば、前記フィルタの清掃時に、前記清掃手段を前記ダストボックス内から出して前記フィルタに接触させ、前記フィルタの非清掃時に、前記清掃手段を前記フィルタから離して前記ダストボックス内に入れるための前記清掃手段を駆動する駆動手段を設けた。これにより、フィルタの非清掃時に、清掃手段がフィルタから離れて常にダストボックス内に入っているので、清掃手段のブラシの変形をなくして、フィルタの清掃時における清掃手段の塵埃除去能力の低下を防ぎ、フィルタの清掃を正常に行なうことができる。
そして、請求項２記載の本発明によれば、前記開閉蓋を閉じて前記アームで前記レバーを押圧することにより、前記塵埃回収手段を前記清掃手段から離すようにした。これにより、請求項１記載の本発明と同様な効果が得られるとともに、清掃装置の内部清掃に伴い、清掃手段がダストボックスから出した状態になったとしても、清掃装置の内部清掃の後、通常操作である開閉蓋を閉じるのみで、塵埃回収手段を清掃手段から離すことができるため、開閉蓋を閉じた際に、清掃手段の付勢手段により清掃手段をダストボックス内に入れることができる。
【００２１】
更に、請求項３記載の本発明によれば、前記駆動手段は、前記フィルタまたは前記清掃装置を往復運動させるようにした。これにより、請求項１記載の本発明と同様な効果を得ることができる。
【発明を実施するための最良の形態】
【００２２】
以下、本発明の実施の形態を添付図面に基づき詳細に説明する。図１は本発明による空気調和機の室内機を示す図で、（Ａ）は外観斜視図、（Ｂ）は内部構造を模式的に示す断面図、図２は本発明による空気調和機の室内機を示す図で、（Ａ）は開閉グリルを取外した状態を示す斜視図、（Ｂ）は開閉グリルと吸込グリルを取外した状態を示す斜視図、図３は本発明によるフィルタの清掃位置を示す要部説明図で、（Ａ）はフィルタを熱交換器の前方側に移動させた状態を示す断面図、（Ｂ）はフィルタを後方側に移動させた状態を示す断面図、図４は本発明による空気調和機の室内機の要部説明図で、（Ａ）は前部フレームおよび後部フレームからなるフレーム部の斜視図、（Ｂ）は後部フレームから前部フレームが離脱する状態を示す斜視図である。
【００２３】
図５は図１（Ａ）に示すＡ−Ａ断面図、図６は図１（Ｂ）および図３に示すフィルタを模式的に示す外観斜視図、図７は図２（Ｂ）に示す右側の清掃装置を取外した状態を示す斜視図、図８は本発明による清掃装置の内部構造を模式的に示すもので、フィルタの清掃時の状態を示す断面図、図９は本発明による清掃装置の内部構造を模式的に示すもので、フィルタの非清掃時の状態を示す断面図、図１０は本発明による清掃装置のダストボックスの開閉蓋を閉じた状態を示す斜視図、図１１は本発明による清掃装置のダストボックスの開閉蓋を開けた状態を示す斜視図、図１２は図１１に示すダストボックスを部分的に拡大した状態を示す斜視図、図１３は本発明による清掃装置のフィルタ保持板を示す斜視図である。
【００２４】
そして、図１４は本発明による清掃装置のダストボックスの開閉蓋を開いた状態を示す断面図で、（Ａ）は図１１に示すＡ−Ａ’断面図、（Ｂ）は図１１に示すＢ−Ｂ’断面図、図１５は本発明による清掃装置のダストボックスの開閉蓋を開いた状態で、使用者の内部清掃に伴い、清掃手段をダストボックス内から出した状態を示す断面図、図１６は本発明による清掃装置のダストボックスの開閉蓋を途中まで閉じた状態で、使用者の内部清掃のあと、清掃手段がダストボックス内に戻る過程を示す断面図で、（Ａ）は図１１に示すＡ−Ａ’断面に相当する断面図、（Ｂ）は図１１に示すＢ−Ｂ’断面に相当する断面図、図１７は本発明による清掃装置のダストボックスの開閉蓋を閉じた状態で、使用者の内部清掃のあと、清掃手段がダストボックス内に完全に入った状態を示す断面図で、（Ａ）は図１０に示すＣ−Ｃ’断面図、（Ｂ）は図１０に示すＤ−Ｄ’断面図である。
【００２５】
本発明による空気調和機は、吸込口と熱交換器との間に配置される塵埃捕捉用のフィルタと、同フィルタで捕捉された塵埃を除去する清掃装置と、前記フィルタまたは前記清掃装置の何れか一方を移動させる駆動手段とが設けられ、前記清掃装置が前記フィルタの表面に捕捉された塵埃を除去する清掃手段を有するダストボックスを備えている空気調和機において、前記フィルタの清掃時に、前記清掃手段を前記ダストボックス内から出して前記フィルタに接触させ、前記フィルタの非清掃時に、前記清掃手段を前記フィルタから離して前記ダストボックス内に入れるための前記清掃手段を駆動する駆動手段を設けたことを特徴とする。
【００２６】
また、本発明による清掃装置は、前記ダストボックスは、ケーシングの内側に設けられたフレーム部に対して着脱自在に配置され、前記清掃手段で除去された塵埃を貯留する貯留部と、同貯留部に開閉可能に取付けられる開閉蓋と、前記清掃手段で除去された塵埃を前記貯留部に回収する塵埃回収手段とを含み、前記清掃手段は、前記貯留部の両側に回転軸により回転可能に軸支され、同貯留部内に向けて付勢する付勢手段を有し、前記塵埃回収手段は、前記貯留部の両側に回転軸により回転可能に軸支され、前記清掃手段に向けて付勢する付勢手段と、前記塵埃回収手段の回転軸の一端に結合されたレバーとを有し、前記開閉蓋は、前記塵埃回収手段の回転軸の一端に結合されたレバーに対向するアームを有してなり、前記開閉蓋を閉じて前記アームで前記レバーを押圧することにより、前記塵埃回収手段を前記清掃手段から離すことを特徴とする。
【００２７】
以下、本発明による空気調和機およびこの空気調和機に設けられる清掃装置の実施の形態について説明する。図１乃至図６を用いて、本発明による空気調和機の室内機の基本的な構造を説明する。図１乃至図４に示すように、吸込グリル１５ａを上面に備えたケーシング１５内に設けられたフレーム部１が、熱交換器９の両側を支持する支持部１ａを備えた左右の支持板１ｂと、これらの支持板１ｂを連結する連結板１ｃとからなる後部フレーム１ｄと、後部フレーム１ｄの下部に送風ケーシング１ｅを接合してなるベース部１ｆと、後部フレーム１ｄの前部に、接離部Ｐにおいて接離可能となるように取り付けられた前部フレーム１ｇとからなる構成になっている。
【００２８】
前部フレーム１ｇの上面部および前面部に設けられた吸込口２と、送風ケーシング１ｅの前端部に設けられた吹出口３とを結ぶ空気通路には、吸込口２の内面側に沿って配された板状のフィルタ４と、前部熱交換器７と後部熱交換器８とで断面逆Ｖ字状に形成され、等間隔で平行に並べられた多数のフィンおよびこのフィンに直交する伝熱管９ａからなる熱交換器９と、送風ファン１１とが設けられている。
【００２９】
なお、前部フレーム１ｇの前面部に設けられた吸込口２は、図１（Ｂ）に、前面パネル１６に備えた開閉グリル１６ａの開放位置を二点鎖線で示すように、開閉グリル１６ａを矢印のように回動することによって開放され、前部フレーム１ｇの上面部に設けられた吸込口２から吸い込まれるのと同時に被空調室の空気を吸い込めるようになっている。
【００３０】
吸込口２から吸い込まれた空気は、この吸込空気中に含まれた塵埃がフィルタ４により捕捉されることによって清浄化されたのち、熱交換器９により熱交換されて送風ファン１１により吹出口３に送出されるようになっている。
【００３１】
吹出口３には、左右方向の風向を偏向する左右風向板１２と、上下方向の風向を偏向するディフューザ１３および上下風向板１４とが回動自在に軸支されている。
【００３２】
フィルタ４は、図６に示すように、枠部４ｂの内側に塵埃を捕捉するための網部４ａが張設され、両側部にはラック４ｃを備えた構成になっている。また、枠部４ｂの内側に網部４ａを格子状に区切るようにリブ４ｄが形成され、網部４ａ、枠部４ｂ、ラック４ｃおよびリブ４ｄは合成樹脂により一体成型されている。
【００３３】
ラック４ｃには、フィルタ４を移動させるための後述するフィルタ駆動手段１８として前部フレーム１ｇに設けられ、図２（Ａ）および図２（Ｂ）に示すフィルタ駆動用モータ１８ａに連係されたフィルタ駆動ギア１８ｄが噛み合っており、フィルタ４の清掃時に、フィルタ駆動用モータ１８ａで駆動されるフィルタ駆動ギア１８ｄに噛み合ったラック４ｃにより、フィルタ４が清掃装置５を通過しながら移動する構成になっている。
【００３４】
清掃装置５は、図１（Ｂ）に示すように、フィルタ４の前端部および後端部間の中間位置に設けられており、また、フィルタ４は、図１（Ｂ）に示す領域Ａの位置に、吸込口２の内面側に沿って前部フレーム１ｇに形成された移動経路６により、前部熱交換器７の前方側に形成された空間内と、前部熱交換器７および前記後部熱交換器８の上方側とで移動可能であり、同時に、後部フレーム１ｄに形成された移動経路６により、後部熱交換器８の後方側に形成された空間内で移動可能に保持されている。
【００３５】
なお、詳細は後述するが、清掃装置５は前部フレーム１ｇに形成された着脱部１９により着脱可能に取り付けられ、図８および図９に示すように、フィルタ４に付着した塵埃を除去するための清掃手段２２と、この清掃手段２２で除去した塵埃を貯留する貯留部２３とを備えており、また、図４（Ａ）および図４（Ｂ）に示すように、前部フレーム１ｇには、清掃手段２２（以下の説明において清掃ブラシとする）を駆動する駆動手段２０（以下の説明において清掃ブラシ駆動手段とする）が設けられている。フィルタ４の清掃時に、清掃ブラシ駆動手段２０により清掃ブラシ２２をフィルタ４に接触するように回動させて付着した塵埃を除去し、貯留部２３に貯留された塵埃は、清掃装置５を所定の清掃運転時間毎にフィルタ４から取り外したのち、外部に取り出されて廃棄されることになる。
【００３６】
フィルタ４は、図１（Ｂ）に示す領域Ａの位置に装着されることで、清掃装置５の前部の範囲が前部フレーム１ｇの前面部に設けられた吸込口２に対向し、清掃装置５の後部の範囲が前部フレーム１ｇの上面部に設けられた吸込口２に対向するようになっている。
【００３７】
フィルタ４は可撓性を有しており、清掃装置５の後部の範囲を清掃する際、熱交換器９の前方側および上方側に対応して前部フレーム１ｇに形成されるとともに、前部フレーム１ｇの前面部に設けられた吸込口２の下端に対応する位置からＵ字状に折り返されて形成された移動経路６に沿って、図１（Ｂ）に破線で示すように、フィルタ４の前端部４’の側から移動することになる。
【００３８】
その際、フィルタ４は、前部フレーム１ｇにＵ字状に折り返されて形成された移動経路６に沿って移動しながら、図３（Ａ）に両矢印Ｂで範囲を示す位置まで移動する。
【００３９】
これにより、フィルタ４は、清掃装置５の後部の範囲が清掃装置５に備えた清掃ブラシ２２によって清掃されることになり、除去された塵埃が貯留部２３に貯留されることになる。
【００４０】
また、フィルタ４は、清掃装置５の後部の範囲を清掃する際、熱交換器９の後方側に対応して後部フレーム１ｄに形成されるとともに、前部フレーム１ｇの上面部に設けられた吸込口２の後端に対応する位置から下方に折り曲げられて形成された移動経路６に沿って、図１（Ｂ）に破線で示すように、フィルタ４の後端部４’’の側から移動することになる。
【００４１】
その際、フィルタ４は、下方に折り曲げられて形成された移動経路６に沿って移動しながら、図３（Ｂ）に両矢印Ｃで範囲を示す位置まで移動する。
【００４２】
これにより、フィルタ４は、清掃装置５の前部の範囲が清掃装置５に備えた清掃ブラシ２２によって清掃されることになり、除去された塵埃が貯留部２３に貯留されることになる。
【００４３】
このように、移動経路６は、図１（Ｂ）と、図３（Ａ）および図３（Ｂ）とに示すように、フィルタ４が移動できるように、熱交換器９を構成する前部熱交換器７の前方側と、前部熱交換器７および後部熱交換器８の上方側とに対応する前部フレーム１ｇに形成され、且つ、後部熱交換器８の後方側に対応する後部フレーム１ｄに形成されている。
【００４４】
より詳細には、移動経路６の一部が、前部熱交換器７の前方側に形成された空間に対応する前部フレーム１ｇと、後部熱交換器８の後方側に形成された空間に対応する後部フレーム１ｄとに設けられ、断面コ字状に形成されたガイド手段１０からなる構成になっている。
【００４５】
また、移動経路６の他の部分は、前部熱交換器７および後部熱交換器８の上方側に対応する前部フレーム１ｇに設けられ、図５に示すように、底面１０ａおよび側面１０ｂにより断面Ｌ字状に形成された補助ガイド手段と、この補助ガイド手段をなす底面１０ａに対向する吸込グリル１５ａの裏面１５ｂとからなる構成になっている。
【００４６】
そして、移動経路６は、後部熱交換器８の後方側に形成された空間に対応する後部フレーム１ｄに設けられたガイド手段１０が、前部熱交換器７の前方側に形成された空間に対応する前部フレーム１ｇに設けられたガイド手段１０に連続形成され、これら前部熱交換器７および後部熱交換器８の上方側における底面１０ａおよび側面１０ｂからなる補助ガイド手段と、接離部Ｐにおいて接離可能となるように分割形成されてなり、図４（Ｂ）に示す矢印Ａのように前方に取り外し可能な前部フレーム１ｇが、送風ケーシング１ｃの上部に接合されてベース部１ｆを構成した後部フレーム１ｄに着脱可能に取付けられることになる。
【００４７】
これにより、例えば移動経路６を備えた前部フレーム１ｇを前方に取り外す際、前部フレーム１ｇ側の接離部Ｐが、熱交換器９の上端部に設けられた図５に示すフィルタガイド１７に凸設した凸部１７ａの上方を通過するように、前部フレーム１ｇを図１（Ｂ）に示す高さＨだけ上方に持ち上げることで取り外すことができる。
【００４８】
また、前部フレーム１ｇの上面部に設けられた吸込口２に対応する吸込グリル１５ａの下部には、フィルタ４をガイドする底面１０ａおよび側面１０ｂからなる断面Ｌ字状の補助ガイド手段が設けられており、この補助ガイド手段に沿って、図５に二点鎖線で示すフィルタ４の両側下面および両側端が円滑にガイドされて移動できるようになっている。
【００４９】
その際、フィルタ４の両側上面は、図５に示すように、補助ガイド手段の底面１０ａに対向する吸込グリル１５ａの裏面１５ｂに沿って、円滑にガイドされて移動できるようになっている。
【００５０】
これにより、前部フレーム１ｇの上面部の吸込口２に対応する吸込グリル１５ａの下部におけるフィルタ４の両側部は、補助ガイド手段および吸込グリル１５ａの裏面１５ｂによって円滑にスライドできるように保持された構成になっており、とくに、フィルタ４の両側上面をガイドする手段を吸込グリル１５ａが兼ねているので、該箇所は底面１０ａおよび側面１０ｂからなる断面Ｌ字状の補助ガイド手段として形成すればよく、コ字状のガイド手段１０として形成しなくてもよい。
【００５１】
補助ガイド手段は、例えば断面コ字状に形成された場合には、断面コ字形状の上面部に吸込グリル１５ａが重設された構成になるが、断面Ｌ字状に形成されることで、空気調和機の室内機として、上面部の厚みに相当する約３ミリメートル程度を削減し高さ寸法を小型化できて軽量化をはかれる構成になり、また、断面コ字形状の上面部の厚みに相当する素材（合成樹脂）の使用量を低減できる構成になる。
【００５２】
なお、吸込グリル１５ａは、補助ガイド手段をコ字状に形成して、この断面コ字形状の上面部に重設される構成にしなくても、充分な強度をもたせることができるので強度不足になるおそれはない。
【００５３】
次に、図４（Ａ）および図４（Ｂ）と、図７とを用いて、フィルタ駆動手段１８と、清掃ブラシ駆動手段２０の詳細について、ガイド手段１０との関係を含めて説明する。前部熱交換器７の前方側に形成された空間に対応する前部フレーム１ｇに設けられたガイド手段１０の内側には、フィルタ駆動手段１８が設けられ、フィルタ４を前後方向に往復移動することができるようになっている。また、この前部フレーム１ｇに設けられたガイド手段１０の移動経路６の途中には、この移動経路６を分断して清掃装置５が着脱される着脱部１９を形成しており、フィルタ４が清掃装置５を移動経路６の一部として通過するようになっている。更に、前部熱交換器７の前方側に形成された空間に対応する前部フレーム１ｇに設けられたガイド手段１０の外側には、清掃ブラシ駆動手段２０が設けられ、清掃ブラシ２２を回動することができるようになっている。
【００５４】
フィルタ駆動手段１８は、ガイド手段１０の内側であって、前面パネル１６と対向する位置に設けられている。フィルタ駆動手段１８は、駆動源であるフィルタ駆動用モータ１８ａと、フィルタ駆動用モータ１８ａの回転駆動力が伝達される第１回転軸１８ｂと、第１回転軸１８ｂに連結されて回転するクラッチ機構１８ｃと、クラッチ機構１８ｃに連結されて回転するフィルタ駆動ギア１８ｄと、フィルタ駆動ギア１８ｄの回転駆動力が伝達される第２回転軸１８ｅとを具備している。
【００５５】
フィルタ駆動ギア１８ｄは、クラッチ機構１８ｃが設けられた中央に位置する各ガイド手段１０と、前部フレーム１ｇの左側部および右側部に設けた各ガイド手段１０とに設けられ、第２回転軸１８ｅは、クラッチ機構１８ｃが設けられた中央に位置する右側のガイド手段１０と、前部フレーム１ｇの右側部に設けたガイド手段１０との間を橋渡しするように設けられている。また、第２回転軸１８ｅは、クラッチ機構１８ｃが設けられた中央に位置する左側のガイド手段１０と、前部フレーム１ｇの左側部に設けたガイド手段１０との間にも橋渡しするように設けられている。
【００５６】
このように構成されたフィルタ駆動手段１８によって、フィルタ駆動ギア１８ｄがフィルタ４に形成されたラック４ｃと噛み合わされ、フィルタ駆動ギア１８ｄの回転によりフィルタ４を前後方向に移動させることができる。フィルタ４の前後方向の移動の際には、クラッチ機構１８ｃが、右側の第２回転軸１８ｅまたは左側の第２回転軸１８ｅのいずれかにフィルタ駆動ギア１８ｄの回転駆動力が伝達されるように切替える。このクラッチ機構１８ｃの動作により、フィルタ駆動用モータ１８ａの回転駆動力が第１回転軸１８ｂを介して、右側の第２回転軸１８ｅまたは左側の第２回転軸１８ｅに伝達され、熱交換器９の右半分を覆うフィルタ４と、左半分を覆うフィルタ４を交互に移動することができるようになっている。
【００５７】
一方、清掃ブラシ駆動手段２０は、ガイド手段１０の外側であって、前面パネル１６と対向する位置に設けられている。清掃ブラシ駆動手段２０は、駆動源である清掃ブラシ駆動用モータ２０ａと、清掃ブラシ駆動用モータ２０ａの回転駆動力が伝達される図示しない第３回転軸と、第３回転軸に連結されて回転する清掃ブラシ駆動ギア２０ｂと、清掃ブラシ駆動ギア２０ｂに連結されて回転する図示しない駆動伝達機構と、駆動伝達機構の回転駆動力が伝達される図示しない第４回転軸とを具備している。
【００５８】
清掃ブラシ駆動ギア２０ｂは、清掃装置５を着脱する着脱部１９が設けられた前部フレーム１ｇの中央に位置する各ガイド手段１０の外側と、同様に着脱部１９が設けられた前部フレーム１ｇの左側部および右側部に位置する各ガイド手段１０の外側とに設けられ、第３回転軸は、中央に位置する右側のガイド手段１０の外側と、前部フレーム１ｇの右側部に位置するガイド手段１０の外側との間を橋渡しするように設けられている。また、第４回転軸は、中央に位置する左側のガイド手段１０の外側と、前部フレーム１ｇの左側部に位置するガイド手段１０の外側との間を橋渡しするように設けられている。
【００５９】
このように構成された清掃ブラシ駆動手段２０によって、清掃ブラシ駆動ギア２０ｂが後述する清掃ブラシ２２の回転軸に連結されている清掃ブラシ従動ギア２２ｄと噛み合わされ、清掃ブラシ駆動ギア２０ｂの回動により清掃ブラシ２２を回動させることができる。清掃ブラシ２２の回動の際には、清掃ブラシ駆動用モータ２０ａの回転駆動力が第３回転軸から駆動伝達機構を介して第４回転軸に伝達され、第３回転軸および第４回転軸に連結される清掃ブラシ駆動ギア２０ｂを介して、熱交換器９の右半分を覆うフィルタ４と、左半分を覆うフィルタ４の表面側に清掃ブラシ２２を接触したり、清掃装置５内に清掃ブラシ２２を収納したりすることができるようになっている。
【００６０】
次に、図８乃至図１３を用いて、本発明による清掃装置５の基本的な構造を説明する。なお、清掃装置５は、図２（Ａ）および図２（Ｂ）と、図７とに示すように、熱交換器９の右半分を覆うフィルタ４と、左半分を覆うフィルタ４に対して１個ずつ着脱部１９に装着されるものであるが、清掃装置５は共に同じ構成であるため、以下においては一方の清掃装置５についてのみ説明する。
【００６１】
清掃装置５は、図８乃至図１３に示すように、ダストボックス２１とフィルタ保持板２６とを具備している。ダストボックス２１は、フィルタ４にて捕捉された塵埃を除去する清掃ブラシ２２と、除去した塵埃を貯留する貯留部２３と、貯留部２３の前面開口を覆い隠して開閉可能に取付けられる開閉蓋２４と、清掃ブラシ２２で除去された塵埃を貯留部２３に回収する塵埃回収手段２５（以下の説明において塵埃回収ブラシとする）とが設けられている。ダストボックス２１全体が、図７に示すように、前部フレーム１ｇに設けられた着脱部２１に架け渡されるほぼ矩形状に形成されている。
【００６２】
清掃ブラシ２２は、所定の水平回転軸２２ａを中心に回転可能に軸支される清掃ブラシ筐体２２ｂを有し、この清掃ブラシ筐体２２ｂのブラシ面には清掃ブラシ本体２２ｃが設けられている。清掃ブラシ筐体２２ｂは、貯留部２３の両側に設けられた支持部２３ａに回転可能に軸支されるほぼ円筒状に形成されており、フィルタ４に対向する側のブラシ面が円弧面に形成されている。清掃ブラシ筐体２２ｂの長手方向の両側面には、水平回転軸２２ａを介して、清掃ブラシ筐体２２ｂを強制的に回転させるための清掃ブラシ従動ギア２２ｄが設けられている（図１４（Ａ）参照。）。また、清掃ブラシ本体２２ｃは、図示しないシート状の基材にブラシ毛がほぼ垂直に植設された直毛ブラシからなり、粘着材などを介してブラシ面に一体的に貼り付けられている。そして、水平回転軸２２ａには、図８において時計回り方向にバネ付勢するための図示しないバネ部材が取付けられている。
【００６３】
貯留部２３は、前面がほぼ全体に開口され、背面が上側半分に開口され、下側半分にボックス部分を備えたもので、上側半分の開口とボックス部分とが仕切られる側面には、清掃ブラシ２２で除去された塵埃を回収する塵埃回収ブラシ２５が設けられている。
【００６４】
塵埃回収ブラシ２５は、所定の水平回転軸２５ａを中心に回転可能に支持される回収ブラシ筐体２５ｂを有し、この回収ブラシ筐体２５ｂには回収ブラシ本体２５ｃが一体的に設けられている。回収ブラシ筐体２５ｂは、図８に示すように、断面円弧状に形成されており、清掃ブラシ２２の回動軌跡に沿って円弧面に形成されたブラシ面には回収ブラシ本体２５ｃが設けられている。回収ブラシ本体２５ｃは、図示しないブラシ毛が斜めに植設された傾斜ブラシからなり、図８では、左斜め上を向くように設けられている。この例において、回収ブラシ筐体２５ｂの水平回転軸２５ａには図示しないバネ部材が取付けられており、塵埃回収ブラシ２５が常に清掃ブラシ２２に向かって均等な力で接触するようにバネ付勢されている。
【００６５】
これによれば、清掃ブラシ２２を塵埃回収ブラシ２５に向かって回動させると、清掃ブラシ２２に対して塵埃回収ブラシ２５が斜め方向から接触するため、清掃ブラシ２２で除去された塵埃を塵埃回収ブラシ２５で確実に回収することができる。また、図８において、塵埃回収ブラシ２５は反時計回り方向にバネ付勢されているが、一定以上の力が回収ブラシ筐体２５ｂにバネ力に反して加わると、清掃ブラシ２２と塵埃回収ブラシ２５との接触が開放されることで、清掃ブラシ２２は時計回り方向のバネ付勢により元の位置に戻すことができる。これは、図１０および図１１に示すように、回収ブラシ筐体２５ｂの長手方向の右側面に設けられ、貯留部２３の右側に設けられた支持部２３ａの内部で、水平回転軸２５ａに結合されたレバー２５ｄによって実現される。なお、詳細な作用は後述するが、レバー２５ｄは、回収ブラシ筐体２５ｂに強制的にバネ力に反して力を加えて、塵埃回収ブラシ２５を清掃ブラシ２２の当接から離脱させるためのものである。
【００６６】
開閉蓋２４は、図１０および図１１に示すように、貯留部２３の前面を覆って、略断面コ字状に形成されており、一端側に設けられた図示しない水平回転軸を中心に貯留部２３に開閉可能に取付けられ、開閉蓋２４を貯留部２３に固定しておくことができるようになっている。そして、開閉蓋２４には、回収ブラシ筐体２５ｂの水平回転軸２５ａに一体に結合されたレバー２５ｄと対向するように、一体成型されたアーム２４ａが設けられている。なお、詳細な作用は後述するが、アーム２４ａは、開閉蓋２４を閉じた際にレバー２５ｄを押圧するためのものである。
【００６７】
また、開閉蓋２４の両側に位置する貯留部２３の支持部２３ａの下端には、ダストボックス２１を前部フレーム１ｇに設けられた着脱部１９に取付けて、前部フレーム１ｇに固定するためのロック部２３ｂが左右にそれぞれ設けられている。このロック部２３ｂは、貯留部２３の一部を凹ませてスライド可能に取付けられており、その先端の係止爪２３ｃが、図７に示すように、前部フレーム１ｇに設けられた着脱部１９に有する挿通孔１９ａに差込まれるようになっている。
【００６８】
次に、清掃装置５のフィルタ保持板２６について説明する。フィルタ保持板２６は、図８および図１３に示すように、ダストボックス２１に回動可能に取付けられるベース板２７と、ベース板２７に一体的に取り付けられ、フィルタ４の裏面側を保持する保持板本体２８と、保持板本体２８を縦方向に分断するようにベース板２７に取付けられ、フィルタ４の裏面側を保持し、フィルタ４を位置決めするための位置決め部材２９とが設けられている。
【００６９】
ベース板２７は、その表面側が長さ方向に３つに区画されて凹んでおり、それぞれの凹んだ部分に３つの保持板本体２８が取付けられている。それぞれの保持板本体２８は、フィルタ４の裏面に沿って接触する保持面２８ａを有し、それぞれの保持面２８ａはダストボックス２１に設けられた清掃ブラシ２２に対向的に配置されており、清掃ブラシ２２によって押圧されたフィルタ４を保持する円滑面である。また、ベース板２７には、それぞれの保持板本体２８の間に、表面側にバネ付勢された２つの位置決め部材２９が取付けられている。各位置決め部材２９は、上述で説明を省略した図６に示すフィルタ４のリブ４ｄに備える挿通孔４ｅに挿通される突起部２９ａを有し、フィルタ４とフィルタ保持板２６との位置関係を決めている。
【００７０】
以上説明してきた清掃装置５を備えた空気調和機の室内機によれば、図２（Ａ）および図２（Ｂ）と、図７および図８とに示すように、清掃装置５のダストボックス２１とフィルタ保持板２６との間でフィルタ４が挟持され、清掃装置５が前部フレーム１ｇに設けられた着脱部２１に装着されており、フィルタ４がガイド手段１０の移動経路６内に配置されている。
【００７１】
このような状態において、フィルタ４の清掃時に、まず、清掃ブラシ２２は、清掃ブラシ従動ギア２２ｄが清掃ブラシ駆動ギア２０ｂと噛み合っているので、清掃ブラシ駆動ギア２０ｂの回転駆動力を清掃ブラシ従動ギア２２ｄで受けて清掃ブラシ２２を回動させ、清掃ブラシ２２をダストボックス２１内から出してフィルタ４に接触させる。フィルタ４に接触している清掃ブラシ２２は、塵埃回収ブラシ２５が反時計回り方向にバネ付勢されているので、塵埃回収ブラシ２５により支持された状態になっている。次に、フィルタ４は、両側部に備えたラック４ｃがフィルタ駆動ギア１８ｄと噛み合っているので、フィルタ駆動ギア１８ｄの回転駆動力をラック４ｃが受けて、フィルタ４を移動経路６内で、清掃装置５を基準に前後方向に往復移動させる。これにより、清掃ブラシ２２がフィルタ４に付着した塵埃を除去するようになっている。
【００７２】
一方、図９に示すように、フィルタ４の非清掃時に、まず、フィルタ４の往復移動を元の初期の位置になるように停止させる（図１（Ｂ）に示す両矢印の範囲Ａの位置。）。停止直後の清掃ブラシ２２は、フィルタ４に接触して塵埃回収ブラシ２５により支持された状態になっている。次に、清掃ブラシ２２は、清掃ブラシ駆動ギア２０ｂの回転駆動力を清掃ブラシ従動ギア２２ｄで受け、清掃ブラシ２２を回動させてフィルタ４から離脱させ、清掃ブラシ２２をダストボックス２１内に入れる。このとき、清掃ブラシ２２は回動しながら塵埃回収ブラシ２５に接触するので、清掃ブラシ２２で除去された塵埃を塵埃回収ブラシ２５で回収するようになっている。これにより、フィルタ４の非清掃時は、清掃ブラシ２２がダストボックス２１内に入った状態で待機することになる。
【００７３】
また、図７および図９に示すように、清掃装置５は前部フレーム１ｇに設けられた着脱部１９からフィルタ４を挟持したまま取外すことができる。更に、清掃装置５のダストボックス２１とフィルタ保持板２６との取付け状態は解除できるようになっているので、ダストボックス２１のみを前部フレーム１ｇに設けられた着脱部１９から取外すこともできる。取外した清掃装置５の装着部１９への装着の際には、フィルタ４の移動経路６を形成するガイド手段１０の間に、ケーシング１５の前面からフィルタ４を挿入して、フィルタ４の後端部を上面パネル４に沿ったガイド手段１０まで誘導する。そして、フィルタ４の前端部を前面パネル５に沿ったガイド手段１０まで誘導した後、清掃装置５を装着部１９に装着することができる。
【００７４】
次に、図１２と、図１４乃至図１７を用いて、本発明による清掃装置５のダストボックス２１自体の内部清掃を行う場合の、ダストボックス２１の機構的な作用を説明する。まず、図１４は清掃装置５を前部フレーム１ｇに設けられた着脱部１９から取外して、清掃装置５のフィルタ保持板２６からダストボックス２１のみを分離した状態を示すものである。この分離したダストボックス２１は、図１２または図１４に示すように、使用者がダストボックス２１の開閉蓋２４を開けることにより、貯留部２３、清掃ブラシ２２などが外部に露出するので、ダストボックス２１内の清掃を行なうことができる。
【００７５】
このダストボックス２１の開閉蓋２４を開けた状態では、図１４（Ｂ）に示すように、清掃ブラシ２２と塵埃回収ブラシ２５とは、清掃ブラシ２２は清掃ブラシ駆動手段２０によって回動し、ダストボックス２１内に収納された後、清掃ブラシ２２の反時計回り方向のバネ付勢と、塵埃回収ブラシ２５の時計回り方向のバネ付勢によって、塵埃回収ブラシ２５と清掃ブラシ２２のそれぞれが付勢位置で静止している状態になっている。そして、この塵埃回収ブラシ２５と清掃ブラシ２２の静止状態のときの塵埃回収ブラシ２５の水平回転軸２５ａに結合されたレバー２５ｄは、塵埃回収ブラシ２５のバネ付勢によって、図１４（Ａ）に示す位置に停止している状態になっている。
【００７６】
次に、図１５は、使用者がダストボックス２１内を拭き掃除や水洗いを行なったときに、清掃ブラシ２２を回動させ、ダストボックス２１の背面開口から清掃ブラシ２２を外側に露出させた状態を示すものである。貯留部２３内の奥部や清掃ブラシ２２の裏側などの隅々を清掃するときには、清掃ブラシ２２を反時計回り方向のバネ付勢に反して手動により回転させることができる。
【００７７】
この清掃ブラシ２２の外側に露出した状態では、図１５に示すように、清掃ブラシ２２と塵埃回収ブラシ２５とは、清掃ブラシ２２の反時計回り方向のバネ付勢の付勢力よりも、塵埃回収ブラシ２５の時計回り方向のバネ付勢の付勢力のほうが若干大きいので、塵埃回収ブラシ２５によって、清掃ブラシ２２を支持している状態になっている。なお、それぞれのバネ付勢の付勢力は同じであってもよく、塵埃回収ブラシ２５と清掃ブラシ２２とがつり合っている状態になっていてもよい。
【００７８】
そして、図１６は、使用者がダストボックス２１の内部清掃を行なった後、ダストボックス２１の開閉蓋２４を途中まで閉じた状態を示すものである。図１６に示すように、ダストボックス２１の開閉蓋２４を閉じることにより、開閉蓋２４に設けられたアーム２４ａが塵埃回収ブラシ２５に設けられたレバー２５ｄを押圧するようになっているので、清掃ブラシ２２をダストボックス２１内に戻すことができる。
【００７９】
このダストボックス２１の開閉蓋２４を途中まで閉じた状態では、図１６（Ａ）に示すように、開閉蓋２４に設けられたアーム２４ａの先端部は、塵埃回収ブラシ２５に設けられたレバー２５ｄの前面側に当接して、アーム２４ａの先端部で押圧されるレバー２５ｄが、ダストボックス２１の上部背面側に回転している状態になっている。そして、このレバー２５ｄがダストボックス２１の上部背面側に回転している状態のときの塵埃回収ブラシ２５は、図１６（Ｂ）に示すように、レバー２５ｄの回転によって、時計回り方向のバネ付勢に反して強制的に下側に移動した状態となる。これにより、塵埃回収ブラシ２５が清掃ブラシ２２との当接から離脱することになるので、清掃ブラシ２２は、反時計回り方向のバネ付勢による回転によってダストボックス２１内に戻された状態になっている。
【００８０】
最後に、図１７は、使用者がダストボックス２１の開閉蓋２４を完全に閉じた状態を示すものである。図１７に示すように、ダストボックス２１の開閉蓋２４を完全に閉じることにより、塵埃回収ブラシ２５に設けられたレバー２５ｄを図１４（Ａ）と同様な位置に戻すことができる。
【００８１】
このダストボックス２１の開閉蓋２４を完全に閉じた状態では、図１７（Ａ）に示すように、開閉蓋２４に設けられたアーム２４ａの先端部は、ダストボックス２１内の下部方向に移動するようになっているので、レバー２５ｄの押圧から解除され、レバー２５ｄが時計回り方向のバネ付勢によって、ダストボックス２１内の前面側に戻った状態になっている。そして、レバー２５ｄがダストボックス２１内の前面側に戻った状態のときの塵埃回収ブラシ２５は、図１７（Ｂ）に示すように、レバー２５ｄのバネ付勢による回転によって、上側に移動した状態となるとともに、清掃ブラシ２２は反時計周り方向のバネ付勢によって、更にダストボックス２１内の前面開口の方向に回動した状態になっている。
【００８２】
以上説明してきた実施の形態による本発明の清掃装置５を備えた空気調和機によれば、吸込口２と熱交換器９との間に配置される塵埃捕捉用のフィルタ４と、フィルタ４で捕捉された塵埃を除去する清掃装置５と、フィルタ４または清掃装置５の何れか一方を移動させる駆動手段（フィルタ駆動手段１８）とが設けられ、清掃装置５がフィルタ４の表面に捕捉された塵埃を除去する清掃手段（清掃ブラシ２２）を有するダストボックス２１を備えているものにおいて、フィルタ４の清掃時に、清掃手段をダストボックス２１内から出してフィルタ４に接触させ、フィルタ４の非清掃時に、清掃手段をフィルタ４から離してダストボックス２１内に入れるための清掃手段を駆動する駆動手段（清掃ブラシ駆動手段２０）を設けるようにした。これにより、フィルタ４の非清掃時に、清掃手段がフィルタ４から離れて常にダストボックス２１内に入っているので、清掃手段のブラシの変形をなくして、フィルタ４の清掃時における清掃手段の塵埃除去能力の低下を防ぎ、フィルタ４の清掃を正常に行なうことができる。
【００８３】
そして、清掃装置５は、ダストボックス２１が、ケーシング１５の内側に設けられたフレーム部１（前部フレーム１ｇに設けた着脱部１９）に対して着脱自在に配置され、清掃手段で除去された塵埃を貯留する貯留部２３と、貯留部２３に開閉可能に取付けられる開閉蓋２４と、清掃手段で除去された塵埃を貯留部２３に回収する塵埃回収手段（塵埃回収ブラシ２５）とを含み、清掃手段は、貯留部２３の両側に水平回転軸２２ａにより回転可能に軸支され、貯留部２３内に向けて付勢する付勢手段（バネ部材）を有し、塵埃回収手段は、貯留部２３の両側に水平回転軸２３ａにより回転可能に軸支され、清掃手段に向けて付勢する付勢手段（バネ部材）と、塵埃回収手段の水平回転軸２３ａの一端に結合されたレバー２５ｄとを有し、開閉蓋２４は、塵埃回収手段の水平回転軸２５ａの一端に結合されたレバー２５ｄに対向するアーム２４ａを有してなる。そして、開閉蓋２４を閉じてアーム２４ａでレバー２５ｄを押圧することにより、塵埃回収手段を清掃手段から離すようにした。これにより、清掃装置５の内部清掃に伴い、清掃手段がダストボックス２１内から出した状態になったとしても、清掃装置５の内部清掃の後、通常操作である開閉蓋２４を閉じるのみで、塵埃回収手段を清掃手段から離すことができるため、開閉蓋２４を閉じた際に、清掃手段の付勢手段により清掃手段をダストボックス内に入れることができる。
【００８４】
なお、これまで説明してきた実施の形態においては、フィルタ駆動手段１８によって、清掃装置５が固定された状態でフィルタ４を往復運動させるようにしたが、本発明はこれに限らず、フィルタ４が固定された状態で清掃装置５を往復運動させる清掃装置駆動手段を設けたものとしてもよく、少なくとも、フィルタ４または清掃装置５の何れか一方を移動させる駆動手段を設けたものであればよい。
【００８５】
また、これまで説明してきた実施の形態においては、塵埃回収ブラシ２５に備えるレバー２５ｄは、塵埃回収ブラシ２５の回収ブラシ筐体２５ｂの長手方向の右側面に設けられ、貯留部２３の右側に設けられた支持部２３ａの内部で、水平回転軸２５ａを介して回転するようにしたが、本発明はこれに限らず、レバー２５ｄを、回収ブラシ筐体２５ｂの長手方向の左側面に設けられ、貯留部２３の左側に設けられた支持部２３ａの内部で、水平回転軸２５ａを介して回転するようになっていてもよい。この場合、開閉フタ２４に備えるアーム２４ａについても、貯留部２３の左側に設けられた支持部２３ａに対向するように変更される。
【００８６】
更に、これまで説明してきた実施の形態においては、清掃手段をブラシ毛が植設されたブラシからなる清掃ブラシ２２とし、塵埃回収手段をブラシ毛が植設されたブラシからなる塵埃回収ブラシ２５としたものであるが、本発明はこれに限らず、清掃手段と塵埃回収手段とを、ゴムなどの軟質樹脂材から形成された平板状のブラシとしたものであってもよい。
【図面の簡単な説明】
【００８７】
【図１】本発明による空気調和機の室内機を示す図で、（Ａ）は外観斜視図、（Ｂ）は内部構造を模式的に示す断面図である。
【図２】本発明による空気調和機の室内機を示す図で、（Ａ）は開閉グリルを取外した状態を示す斜視図、（Ｂ）は開閉グリルと吸込グリルを取外した状態を示す斜視図である。
【図３】本発明によるフィルタの清掃位置を示す要部説明図で、（Ａ）はフィルタを熱交換器の前方側に移動させた状態を示す断面図、（Ｂ）はフィルタを後方側に移動させた状態を示す断面図である。
【図４】本発明による空気調和機の室内機の要部説明図で、（Ａ）は前部フレームおよび後部フレームからなるフレーム部の斜視図、（Ｂ）は後部フレームから前部フレームが離脱する状態を示す斜視図である。
【図５】図１（Ａ）に示すＡ−Ａ断面図である。
【図６】図１（Ｂ）および図３に示すフィルタを模式的に示す外観斜視図である。
【図７】図２（Ｂ）に示す右側の清掃装置を取外した状態を示す斜視図である。
【図８】本発明による清掃装置の内部構造を模式的に示すもので、フィルタの清掃時の状態を示す断面図である。
【図９】本発明による清掃装置の内部構造を模式的に示すもので、フィルタの非清掃時の状態を示す断面図である。
【図１０】本発明による清掃装置のダストボックスの開閉蓋を閉じた状態を示す斜視図である。
【図１１】本発明による清掃装置のダストボックスの開閉蓋を開けた状態を示す斜視図である。
【図１２】図１０に示すダストボックスを部分的に拡大した状態を示す斜視図である。
【図１３】本発明による清掃装置のフィルタ保持板を示す斜視図である。
【図１４】本発明による清掃装置のダストボックスの開閉蓋を開いた状態を示す断面図で、（Ａ）は図１１に示すＡ−Ａ’断面図、（Ｂ）は図１１に示すＢ−Ｂ’断面図である。
【図１５】本発明による清掃装置のダストボックスの開閉蓋を開いた状態で、使用者の内部清掃に伴い、清掃手段をダストボックス内から出した状態を示す断面図である。
【図１６】本発明による清掃装置のダストボックスの開閉蓋を途中まで閉じた状態で、使用者の内部清掃のあと、清掃手段がダストボックス内に戻る過程を示す断面図で、（Ａ）は図１１に示すＡ−Ａ’断面に相当する断面図、（Ｂ）は図１１に示すＢ−Ｂ’断面に相当する断面図である。
【図１７】本発明による清掃装置のダストボックスの開閉蓋を閉じた状態で、使用者の内部清掃のあと、清掃手段がダストボックス内に完全に入った状態を示す断面図で、（Ａ）は図１０に示すＣ−Ｃ’断面図、（Ｂ）は図１０に示すＤ−Ｄ’断面図である。
【図１８】従来による空気調和機の室内機の内部構造を模式的に示す断面図である。
【図１９】従来による空気調和機の室内機のガイドフレームとダストボックスとを分解した状態を示す分解斜視図である。
【図２０】従来による清掃装置の内部構造を模式的に示す断面図である。
【符号の説明】
【００８８】
１  フレーム部
１ａ  支持部
１ｂ  支持板
１ｃ  連結板
１ｄ  後部フレーム
１ｅ  送風ケーシング
１ｆ  ベース部
１ｇ  前部フレーム
２  吸込口
３  吹出口
４  フィルタ
４ａ  網部
４ｂ  枠部
４ｃ  ラック
４ｄ  リブ
４ｅ  挿通孔
５  清掃装置
６  移動経路
７  前部熱交換器
８  後部熱交換器
９  熱交換器
９ａ  伝熱管
１０  ガイド手段
１０ａ  底面
１０ｂ  側面
１１  送風ファン
１２  左右風向板
１３  ディフューザ
１４  上下風向板
１５  ケーシング
１５ａ  吸込グリル
１５ｂ  グリル裏面
１６  前面パネル
１６ａ  開閉グリル
１７  フィルタガイド
１７ａ  凸部
１８  フィルタ駆動手段
１８ａ  フィルタ駆動用モータ
１８ｂ  第１回転軸
１８ｃ  クラッチ機構
１８ｄ  フィルタ駆動ギア
１８ｅ  第２回転軸
１９  着脱部
１９ａ  挿通孔
２０  清掃手段を駆動する駆動手段（清掃ブラシ駆動手段）
２０ａ  清掃ブラシ駆動用モータ
２０ｂ  清掃ブラシ駆動ギア
２１  ダストボックス
２２  清掃手段（清掃ブラシ）
２２ａ  水平回転軸
２２ｂ  清掃ブラシ筐体
２２ｃ  清掃ブラシ本体
２２ｄ  清掃ブラシ従動ギア
２３  貯留部
２３ａ  支持部
２３ｂ  ロック部
２３ｃ  係止爪
２４  開閉蓋
２４ａ  アーム
２５  塵埃回収手段（塵埃回収ブラシ）
２５ａ  水平回転軸
２５ｂ  回収ブラシ筐体
２５ｃ  回収ブラシ本体
２５ｄ  レバー
２６  フィルタ保持板
２７  ベース板
２８  保持板本体
２８ａ  保持面
２９  位置決め部材
２９ａ  突起部
【図１】
0004618302.tif 000002
【図２】
0004618302.tif 000003
【図３】
0004618302.tif 000004
【図４】
0004618302.tif 000005
【図５】
0004618302.tif 000006
【図６】
0004618302.tif 000007
【図７】
0004618302.tif 000008
【図８】
0004618302.tif 000009
【図９】
0004618302.tif 000010
【図１０】
0004618302.tif 000011
【図１１】
0004618302.tif 000012
【図１２】
0004618302.tif 000013
【図１３】
0004618302.tif 000014
【図１４】
0004618302.tif 000015
【図１５】
0004618302.tif 000016
【図１６】
0004618302.tif 000017
【図１７】
0004618302.tif 000018
【図１８】
0004618302.tif 000019
【図１９】
0004618302.tif 000020
【図２０】
0004618302.tif 000021